(57)【要約】      （修正有）【課題】データ保存機能と多色ペンの機能を同時に備えた、データ保存機能を備えた多色ペンの提供。【解決手段】胴軸１は一端の外径を縮小し、ペン芯３のみを穿通させることができる芯孔１２１を形成し、他端は開口１１１を備え、前記胴軸内の一端に座体２が設置され、座体上に少なくとも２つ以上の異なる色のペン芯を収納し、各ペン芯上にそれぞれ弾性部材３１を被せて設け、前記芯孔外部に穿出されるペン芯のペン先を弾性的に胴軸内に戻すことができ、さらに、保存装置４は回路板を備えた本体４１とUSBコネクタ４２から構成され、本体４１は前記胴軸内に固定され、前記USBコネクタは前記胴軸の開口から外部に穿出され、且つ胴軸に結合されて、分離可能なキャップ５により覆われる。【選択図】図１
0003129713.tif 000002
【実用新案登録請求の範囲】
【請求項１】
中空の胴軸と、座体と、保存装置と、キャップを含み、前記胴軸は一端の外径を縮小し芯孔を形成し、他端に外径がやや大きい開口を設け、前記座体は前記胴軸内に設置され、前記座体内に少なくとも２種類の異なる色のペン芯を収納することができ、各ペン芯はペン先を前記胴軸内に戻すための弾性力を備え、前記保存装置は、前記胴軸内の前記座体に相対する他方の側に設置され、前記保存装置は回路板を備えた本体と相互に連結されたUSBコネクタから成り、前記本体が前記胴軸内に固定され、前記USBコネクタが前記胴軸の一端の開口から外部に露出され、前記キャップは前記USBコネクタを覆い、且つ、前記胴軸と結合または分離することができる、データ保存機能を備えた多色ペン。     
【請求項２】
前記胴軸が上管体及び下管体から構成され、前記下管体の一端の外径を縮小してペン先のみを穿通させることができる芯孔を設け、前記下管体の他端の端口内側壁面に雌ネジを形成し、前記上管体は一端の内部に前記座体が固定され、前記上管体の他端に開口を設け、前記座体の前記上管体外部に突出された一端に前記下管体の雌ネジと相互に螺合される雄ネジを設けた、請求項１に記載のデータ保存機能を備えた多色ペン。
【請求項３】
前記上管体の開口箇所に中空のカバー管を固定し、前記カバー管の一端に雄ネジを設け、前記キャップの内側壁面に前記カバー管の雄ネジと相互に螺合される雌ネジを設けた、請求項１に記載のデータ保存機能を備えた多色ペン。       
【考案の詳細な説明】
【技術分野】
【０００１】
本考案はデータ保存機能を備えた多色ペンに関し、詳細には、二種類以上の異なる色のペン芯及びデータ保存機能を備えた多色ペンに関する。
【背景技術】
【０００２】
筆記具は非常に便利なツールであり、万年筆や筆ペン、鉛筆、シャープペンシル、ボールペン、多色ペン、色鉛筆等が含まれ、使用者がさまざまな筆記方式の下、必要に応じて異なる筆記具を使用することができる。そのうち、前記多色ペンは主に中空の管体と、前記中空の管体内部に設置され、ペン芯を収納するための芯管を備えた伸縮固定部材と、前記芯管末端に取り外し可能に設置され、芯管の端口を塞ぐと共に、芯管を押圧するために用いられる押圧部材を含み、前記芯管の外側と前記管体内壁間に複数の色のペン芯を収納することができる収納空間が形成され、前記芯管の前記管体先端に相対する端部にバネを結合した固定部材が設置され、前記固定部材はペン芯を固定すると共にペン芯を押し出すために用いられ、前記押圧部材上にキャップが設置され、ペン芯を前記管体内部に収納して複数の色の変化を備えた多色ペンが構成される。
【０００３】
また、従来コンピュータの使用者は、データを別のコンピュータ上に移動して作業を行いたいとき、通常は予めデータをフロッピー（登録商標）ディスクや光ディスク上にコピーしておき、データを保存したフロッピー（登録商標）ディスクや光ディスクを別の一台のコンピュータ内に挿入し、内部に保存されたデータを読み取る必要がある。しかしながら、コンピュータ技術の発達に伴い、携帯型ストレージデバイスが上述の保存方式を代替するようになった。携帯型ストレージデバイスはプラグアンドプレイのUSBインターフェースを採用し、非常に大きな記憶容量を備え、アクセス速度もフロッピー（登録商標）ディスクドライブに比べ非常に速くなっており、使用時には携帯型ストレージデバイスのUSBコネクタをコンピュータのUSB差込み口に差し込むだけで、データの読み取りと保存を行うことができる。
【０００４】
上述の多色ペンまたは携帯型ストレージデバイスそのものは、どちらも単一の機能しか備えておらず、即ち、多色ペンは一本で複数の色を用いて筆記できるという機能のみ、また携帯型ストレージデバイスはデータ保存の機能のみしか備えていないため、いかに両者の機能を一体として結合するかということは、関連技術に詳しい者が解決を期待する課題である。
【０００５】
上述の従来技術における各問題に鑑みて、本考案の考案者はその関連産業における長年の経験に基づき、絶え間ない改良を求める精神で積極的に研究を重ね、ついに本考案のデータ保存機能を備えた多色ペンの開発に至ったものである。
【考案の開示】
【考案が解決しようとする課題】
【０００６】
本考案の主な目的は、データ保存機能と多色ペンの機能を同時に備えた、データ保存機能を備えた多色ペンを提供することにある。          
【課題を解決するための手段】
【０００７】
本考案のデータ保存機能を備えた多色ペンは、中空の胴軸、少なくとも２つの異なる色のペン芯、座体、保存装置及びキャップから構成され、そのうち、前記胴軸は一端の外径を縮小し、ペン芯のみを穿通させることができる芯孔を形成し、他端は開口を備え、前記胴軸内の一端に前記座体が設置され、座体上に少なくとも２つ以上の異なる色のペン芯を収納し、各ペン芯上にそれぞれ弾性部材を被せて設け、前記芯孔外部に穿出されるペン芯のペン先を弾性的に胴軸内に戻すことができ、さらに、前記保存装置は回路板を備えた本体とUSBコネクタから構成され、前記本体は前記胴軸内に固定され、前記USBコネクタは前記胴軸の開口から外部に穿出され、且つ胴軸に結合されて、分離可能なキャップにより覆われる。        
【考案の効果】
【０００８】
これにより、本考案の多色ペンを利用して使用者は異なる色のペン芯で筆記を行うことができ、同時に、保存装置を利用してデータ保存に用いることができるため、保存機能を兼ね備えた多色ペンが得られる。        
【考案を実施するための最良の形態】
【０００９】
本考案のより詳細な内容及び技術について、以下図面に基づき詳細に説明するが、添付された図面は参考と説明のために用いられるものであり、本考案を制限するものではない。
【００１０】
本考案のデータ保存機能を備えた多色ペンは、図１に示すように、前記多色ペン１０が中空の胴軸１、座体２、少なくとも２つの異なる色のペン芯３、保存装置４及びキャップ５から構成される。
【００１１】
そのうち、前記胴軸１は上管体１１及び下管体１２から構成され、前記下管体１２は一端の外径を縮小し、ペン芯３のみを穿通させることができる芯孔１２１を形成し、他端の端口内側壁面に雌ネジ１２２を形成する。前記上管体１１は一端の内部に前記座体２が固定され、上管体１１の他端に開口１１１が形成される。前記座体２上には少なくとも２つ以上の異なる色のペン芯３を収納し、本実施例では３つの異なる色のペン芯３を設置するものとし、各ペン芯３上にそれぞれバネ３１を被せて設置し、前記芯孔１２１から外部に穿出されるペン芯３のペン先３２に前記下管体１２内へ戻すための弾性力を付与する。前記座体２は前記上管体１１の外部の一端から突出され、前記下管体１２の雌ネジ１２２と相互に螺合される雄ネジ２１が形成される。
【００１２】
続いて、図１に示すように、本考案においては、前記保存装置４が回路板を備えた本体４１及び相互に連結されたUSBコネクタ４２から構成され、前記本体４１は前記上管体１１内に固定され、且つ、前記USBコネクタ４２が前記上管体１１の開口１１１から外部に穿出される。前記上管体１１の開口１１１箇所にさらに中空のカバー管１３が被せて設置され、前記カバー管１３の一端に雄ネジ１３１が形成される。さらに、前記USBコネクタ４２に被せ、これを覆うことができるキャップ５を設け、キャップ５の内側壁面に前カバー管１３の雄ネジ１３１に螺合される雌ネジを形成する（図には示さない）。
【００１３】
本考案の組み立ては、３つの異なる色のペン芯３を座体２上に収納し、且つ、それぞれにバネ３１を被せ、さらに前記座体２をペン芯３の一部分と共に上管体１１内に設置して保存装置４の本体４１を前記上管体１１内に固定し、且つ、カバー管１３を前記上管体１１の一端の開口１１１箇所に固定し、USBコネクタ４２を前記カバー管１３から穿出させ、且つ上管体１１の外部に露出させる。次に、雄ネジ２１を備えた座体２の一端とペン先３２を備えたペン芯３の一端を下管体１２内に挿入し、且つ、前記上管体１１を回転させて座体２の雄ネジ２１と下管体１２端口内側壁面の雌ネジ１２２を相互に螺合し、上管体１１及び下管体１２を結合させる。最後に、キャップ５をUSBコネクタ４２上に被せ、キャップ５を回転して締め、キャップ５内側壁面の雌ネジとカバー管１３の雄ネジ１３１を相互に螺合し、キャップ５をしっかりと締めて上管体１１上を覆うと、図２に示すようにデータ保存機能を備えた多色ペン１０の組み立てが完了する。
【００１４】
図３に示すように、使用者がこの多色ペン１０を利用してデータ保存を行うときは、前記キャップ５を緩めて外し、USBコネクタ４２を露出させ、データ保存を行う電子デバイスのUSB差込み口にこのUSBコネクタ４２を挿入すると、USBのプラグアンドプレイの特性を利用してデータの読み取りと保存を行うことができる。
【００１５】
上述の構造の説明から分かるように、本考案の多色ペン１０を利用して使用者は異なる色のペン芯３を使い筆記を行うことができ、同時に、保存装置４をデータ保存に用いることもできるため、保存機能を兼ね備えた多色ペン１０を形成することができる。
【００１６】
上述のように、本考案のデータ保存機能を備えた多色ペンは、上述に示した構造により、確実にその目的とする効果を得ることができる。且つ、本考案はその出願以前に刊行物での記載や公開使用されたことがなく、実用新案登録の新規性、進歩性等の要件を満たしている。
【００１７】
上述に掲げた図面及び説明は、本考案の実施例に基づくものであり、本考案を制限するものではなく、関連技術に詳しい人物による本考案の特徴範疇に基づいてなされたその他同等効果を得る変化や修飾はすべて本考案の実用新案登録請求の範囲内に含まれるものとみなす。
【図面の簡単な説明】
【００１８】
【図１】本考案の多色ペンの立体分解図である。
【図２】本考案の多色ペンの立体外観図である。
【図３】本考案の多色ペンのUSBコネクタを露出した状態の立体外観図である。
【符号の説明】
【００１９】
１０      多色ペン      
１        胴軸
１１      上管体
１１１    開口
１２      下管体
１２１    芯孔
１２２    雌ネジ
１３      カバー管
１３１、２１  雄ネジ
２        座体
３        ペン芯
３１      バネ
３２      ペン先
４        保存装置
４１      本体
４２      USBコネクタ
５        キャップ
【図１】
0003129713.tif 000003
【図２】
0003129713.tif 000004
【図３】
0003129713.tif 000005
【手続補正書】
【提出日】平成18年12月12日(2006.12.12)
【手続補正１】
【補正対象書類名】実用新案登録請求の範囲
【補正対象項目名】請求項１
【補正方法】変更
【補正の内容】
【請求項１】
上管体の下端と下管体の上端を連結して成る中空の胴軸と、座体と、保存装置と、キャップを含み、前記胴軸は下管体の一端の外径を縮小し芯孔を形成し、下管体に連結した上管体の他端に外径がやや大きい開口を設け、前記座体は前記胴軸内に設置され、前記座体内に少なくとも２種類の異なる色のペン芯を収納する構成とするとともに、収納した各ペン芯はペン先を前記胴軸内に戻すための弾性バネを備え、前記保存装置は、前記胴軸の上管体内の前記座体に相対する他方の側に設置され、前記保存装置は回路板を備えた本体と相互に連結されたUSBコネクタから成り、前記本体が前記胴軸の上管体内に固定され、前記USBコネクタが前記胴軸上管体の連結部反対側の上端の開口から外部に露出され、前記キャップは前記USBコネクタを覆い、且つ、前記胴軸の上管体と結合または分離することができる、データ保存機能を備えた多色ペン。  
【手続補正２】
【補正対象書類名】明細書
【補正対象項目名】０００７
【補正方法】変更
【補正の内容】
【０００７】
本考案のデータ保存機能を備えた多色ペンは、上管体の下端と下管体の上端を連結して成る中空の胴軸と、座体と、保存装置と、キャップを含み、前記胴軸は下管体の一端の外径を縮小し芯孔を形成し、下管体に連結した上管体の他端に外径がやや大きい開口を設け、前記座体は前記胴軸内に設置され、前記座体内に少なくとも２種類の異なる色のペン芯を収納する構成とするとともに、収納した各ペン芯はペン先を前記胴軸内に戻すための弾性バネを備え、前記保存装置は、前記胴軸の上管体内の前記座体に相対する他方の側に設置され、前記保存装置は回路板を備えた本体と相互に連結されたUSBコネクタから成り、前記本体が前記胴軸の上管体内に固定され、前記USBコネクタが前記胴軸上管体の連結部反対側の上端の開口から外部に露出され、前記キャップは前記USBコネクタを覆い、且つ、前記胴軸の上管体と結合または分離することができる。